(57)【要約】  【課題】  エアバッグカバーの加工工程を簡略化して製造コストを抑制し、軽量でコンパクトな銘板付きエアバッグカバーを提供する。  【解決手段】  エアバッグカバー１０の通孔８に挿通した、銘板の第１脚部２０及び第２脚部２３を折り曲げる折り曲げ方向に、各脚部２０，２３の側部７及び先端部６に周設した保護部９を配設する。保護部９により、折り曲げた各脚部の端縁部のバリ等をカバーする。第１脚部２０が折り曲げられる保護部９の保護壁２５には、第１脚部２０の長い切り欠き２１と係合し、第１脚部２０に引っ張り力を付与する係止突起３１が形成されている。また、保護部９の奥壁３３に当接した第２脚部２３の先端部６を第２脚部２３の折れ線２９の方向に押圧し、通孔８内の第２脚部２３を撓ませて、第２脚部２３による保持力を高める。  【選択図】  図５
2006103444.tif 000002
【特許請求の範囲】
【請求項１】
意匠面と同意匠面に交差する方向に延設した複数の脚部とを有する銘板と、
表面側に形成され、前記銘板を配置する配置部と、
前記各脚部をそれぞれ前記表面側から裏面側に挿通可能とする複数の通孔と、
を備え
前記銘板を取付けたエアバッグカバーにおいて、
前記通孔に挿通した前記脚部の端縁側を前記裏面側に沿って折り曲げることにより、前記銘板が前記エアバッグカバーに取り付けられ、
前記裏面から突設した保護部を、前記折り曲げられた端縁の少なくとも一部の周りに周設し、かつ前記裏面からの前記折り曲げられた端縁の高さ位置以上に突設してなることを特徴とするエアバッグカバー。
【請求項２】
前記銘板が、第１脚部と第２脚部とからなる３脚以上の脚部を有し、
前記第１脚部及び第２脚部における一方の脚部が、前記第１脚部及び第２脚部における他方の脚部間に配設され、
前記第１脚部の前記裏面側に沿った折り曲げによる前記保護部との当接により前記第１脚部が張設されてなることを特徴とする請求項１記載のエアバッグカバー。
【請求項３】
前記銘板が、第１脚部と第２脚部とからなる３脚以上の脚部を有し、
前記第１脚部及び第２脚部における一方の脚部が、前記第１脚部及び第２脚部における他方の脚部間に配設され、
前記第２脚部の前記裏面側に沿った折り曲げによる前記保護部との当接により前記通孔間に位置する前記第２脚部の部位が、前記第２脚部の折り曲げ方向とは反対の方向に付勢されてなることを特徴とする請求項１又は２記載のエアバッグカバー。
【請求項４】
前記第１脚部と第２脚部とをそれぞれ保持するロック片が、前記保護部に形成されてなることを特徴とする請求項２又は３記載のエアバッグカバー。
【請求項５】
前記第１脚部及び第２脚部の少なくとも一方の脚部による前記裏面側に沿った折り曲げにより、前記裏面に沿って折り曲げられた脚部が、同脚部の幅方向に沿って湾曲して保持されてなることを特徴とする請求項２〜４のいずれかに記載のエアバッグカバー。
【発明の詳細な説明】
【技術分野】
【０００１】
本発明は車両などに搭載され、衝突時などにおいて膨張展開するエアバッグを収容するエアバッグカバーに関し、意匠面を有する銘板を取り付けたエアバッグカバーに関する。
【背景技術】
【０００２】
エアバッグ装置は、車両におけるステアリングホイールのセンターパッドに組み込む形態で実用化され、今日の大多数の車両において搭載されるまでその普及が広がっている。ところで、まだそれほどエアバッグ装置が注目も普及もされていない頃においては、例えば、エアバッグ装置を内蔵しないセンターパッドにメタル、樹脂等からなる銘板が取り付けられていた。
【０００３】
銘板をセンターパッドに取り付けることにより、ソフト樹脂だけによる見栄えとは差別化することができるようになり、しかも、ハード樹脂や金属調の外観をもった銘板によって車名や製造メーカのブランド名等を表示することができた。これにより、アクセントとしての意匠性の向上や高級感をかもし出すことができた。
【０００４】
その後、センターパッドの機能として、新たにエアバッグを膨出できるエアバッグカバーとしての機能が求められてきた。このとき幾つもの課題が想定され、その一つとして、従来の「ノンエアバッグパッド」としてのセンターパッドに取り付けていた銘板を、そのままの形でエアバッグカバーとしてのセンターパッドに取り付けると、銘板の脚部によってエアバッグに対して悪影響を与えてしまうという課題が考えられた。
【０００５】
そこで、単なる造形としてマークをソフト樹脂製のセンターパッドと一体にする方法が採られた。しかし、一体成型したマークは、色調においても質感においてもセンターパッド全体に埋没してしまい、センターパッドに対して調和の取れた、意匠的にも優れたマークとすることはできなかった。特に、ノンエアバッグパッドの意匠効果に慣れ親しんできたユーザーにとって、一体成型したマークは外観的に満足すべきものではなく、ノンエアバッグパッドと同等レベルまで意匠を向上させることが望まれていた。
【０００６】
そのようなニーズに応えるべく、エアバッグカバーにも適する銘板として、エアバッグカバーにおける開裂ドアに対しても安定して取り付けることができるものが種々検討され提案されてきた。例えば、エアバッグ装置へのエンブレム取付構造（特許文献１参照。）等が提案されている。
【０００７】
このエンブレム取付構造は、図１３に示すように、金属製エンブレム５３のキャップ部５３ａの周縁部から延設した取付脚部５３ｂをスリット状の脚部挿入孔５５ｃに挿通して内側に折り曲げることでバッグカバー５４に取付けている。折り曲げた取付脚部５３ｂの上から覆うように樹脂製当板５７を当て、取付脚部５３ｂを除く樹脂製当板５７の複数個所をエンブレム装着部の裏面側に対して超音波溶着している。
【特許文献１】特開２００３−１４６１６７号公報
【発明の開示】
【発明が解決しようとする課題】
【０００８】
特許文献１に記載されたエンブレム取付構造は、脚部の折り曲げた端縁を覆った樹脂製当板５７を超音波溶着という手段を用いてエンブレム装着部の裏面側に溶着してしまうものである。樹脂製当板５７によって脚部の端縁と折り畳んで収容されたエアバッグとの当接が防止でき、脚部５３ｂの端縁によるエアバッグへの影響を抑制することができる。
【０００９】
しかし、エンブレムを取付けるためには、溶着工程を設けることが必要となり、溶着設備に対する投資が必要となる。また、折り曲げた脚部に対する樹脂製当板の位置決めや、溶着のための溶着位置の保持等の煩雑でコストのかかる溶着工程が加わることになる。加工工数の増加と溶着工程における歩留まり、管理コスト、工程仕掛かり品の発生などによって製造コストがかかってしまうという問題が発生する。更に、エンブレム装着部の裏面側に配される樹脂製当板５７の厚みによって、エアバッグ収納スペースが占有され、エアバッグの収納スペースを減少させてしまう問題も発生する。
【００１０】
エアバッグの収納スペースを確保するためには、エアバッグカバーのサイズを大きくしなければならなくなり、とりわけ乗員に対する高さ方向に大きくなってしまうといった問題が発生する。エアバッグカバーが乗員に対する高さ方向に大きくなると、ステアリングホイールのリムのなす面を基準にして運転者側に対してより近接した配置構成となる。
【００１１】
一方、外周方向に大きくすると、運転者に対する投影面積がおおきくなり、メーター類に対する視認性に影響を与える配置構成となってしまう。またエアバッグカバーのサイズが大きくなることでエアバッグ膨出用扉の質量が増大し、エアバッグの膨張展開時におけるエアバッグ膨出用扉のモーメントが大きくなる。このため、エアバッグ膨出用扉の回動性に影響を与えてしまうといった問題が発生する。
【００１２】
本願発明では、上記したような従来の問題点を解決し、しかも、エアバッグカバーの加工工程を簡略化して製造コストを抑制し、軽量でコンパクトな銘板付きエアバッグカバーを提供する。
【課題を解決するための手段】
【００１３】
本願発明の課題は請求項１〜５に記載された各発明により達成することができる。
即ち、本願発明では請求項１に記載したように、意匠面と同意匠面に交差する方向に延設した複数の脚部とを有する銘板と、表面側に形成され、前記銘板を配置する配置部と、前記各脚部をそれぞれ前記表面側から裏面側に挿通可能とする複数の通孔と、を備え、前記銘板を取付けたエアバッグカバーにおいて、前記通孔に挿通した前記脚部の端縁側を前記裏面側に沿って折り曲げることにより、前記銘板が前記エアバッグカバーに取り付けられ、前記裏面から突設した保護部を、前記折り曲げられた端縁の少なくとも一部の周りに周設し、かつ前記裏面からの前記折り曲げられた端縁の高さ位置以上に突設してなることを最も主要な特徴となしている。
【００１４】
また、本願発明では請求項２に記載したように、前記銘板が、第１脚部と第２脚部とからなる３脚以上の脚部を有し、前記第１脚部及び第２脚部における一方の脚部が、前記第１脚部及び第２脚部における他方の脚部間に配設され、前記第１脚部の前記裏面側に沿った折り曲げによる前記保護部との当接により前記第１脚部が、張設されてなることを主要な特徴となしている。
【００１５】
更に、本願発明では請求項３に記したように、第２脚部の前記裏面側に沿った折り曲げによる前記保護部との当接により前記通孔間に位置する前記第２脚部の部位が、前記第２脚部の折り曲げ方向とは反対の方向に付勢されてなることを主要な特徴となしている。
【００１６】
更にまた、本願発明では請求項４に記載したように、第１脚部と第２脚部とをそれぞれ保持するロック片が、前記保護部に形成されてなることを主要な特徴となしている。
【００１７】
また、本願発明では請求項５に記載したように、前記第１脚部及び第２脚部の少なくとも一方の脚部による前記裏面側に沿った折り曲げにより、前記裏面に沿って折り曲げられた脚部が、同脚部の幅方向に沿って湾曲して保持されてなることを主要な特徴となしている。
【発明の効果】
【００１８】
本願発明では、折り曲げた脚部を覆うための樹脂製当板を用いなくても、折り曲げた脚部を保護部により簡単に保護することができる。保護部に向かって脚部を折り曲げることで、折り曲げた脚部の端縁の周りを保護部でカバーすることができる。これにより、エアバッグに取り付けた銘板の脚部による、エアバッグカバー内に収納したエアバッグに対する悪影響を保護部によって低減させることができる。
【００１９】
また、脚部を折り曲げることで銘板をエアバッグカバーに取り付けることができるので、エアバッグカバーへの銘板の取り付け作業が短時間に行うことができ、しかも簡単に取付け作業を行うことができるようになる。しかも、エアバッグカバーの裏面に突設した保護部は、エアバッグ収容スペースを大きく占めることなく形成することができるので、エアバッグカバーをコンパクトに構成することができる。
【００２０】
このため、エアバッグ装置が乗員側に膨出したり、ステアリングホイールの内側を大きく占有して見栄えを損なったりすることが防止され、メーターに対する視認性が低下するのを防止できる。しかも、エアバッグカバーをコンパクトに構成できるので、エアバッグ膨出用扉を軽く形成することができる。エアバッグの膨出展開時におけるエアバッグ膨出用扉の回動動作を円滑に行うことができ、エアバッグの展開挙動に対する影響を極少にすることができる。
【００２１】
また、本願発明では請求項２、３に記載したように、２種類の第１脚部と第２脚部とを用いることができる。しかも、一方の脚部間に他方の脚部を配設させ、それぞれの脚部に加わる力をバランスさせることができる。また、第１脚部に対しては引っ張り力を付与することができる。第２脚部に対しては、第２脚部の通孔間に位置する部位に対して、第２脚部の折り曲げ方向とは反対方向に変位する付勢力を付与することができる。
【００２２】
これにより、第１脚部及び／又は第２脚部に対して、銘板をエアバッグカバーに強固に取り付けるための付勢力を与えることができ、銘板の保持強度を一層高めることができる。
【００２３】
更に、請求項４、５に記載したように、第１脚部及び第２脚部の折り曲げ状態をロック片により保持させることができる。また、第１脚部及び／又は第２脚部のロック方法として、脚部をその幅方向に沿って湾曲させて保持することができる。
【００２４】
これにより、第１脚部及び第２脚部の折り曲げ状態が確実に保持され、エアバッグ装置が起動する前における通常の車両の運行等において、極めて高い状態で、しかも安定的に銘板をエアバッグカバーに保持しておくことができる。また、エアバッグの膨張展開時にエアバッグカバーが開裂及び回動作動しても、銘板が開裂又は回動したエアバッグ膨出用扉から飛び去ることがなく、極めて安定的に銘板をエアバッグ膨出用扉に保持しておくことができる。
【発明を実施するための最良の形態】
【００２５】
本発明の好適な実施の形態について、添付図面に基づいて以下において具体的に説明する。本願発明のエアバッグカバーとして、ステアリングホイールのセンターパッドを例にとって以下において説明する。しかし、本願発明のエアバッグカバーとしてはステアリングホイールのセンターパッドに限定されるものではなく、しかも以下で説明するセンターパッドとして使用したときのエアバッグカバーの形状、配置構成以外であっても、本願発明をエアバッグカバーに好適に適用することができるものである。
【００２６】
例えば、車両のダッシュボードに配設する助手席用のエアバッグカバー等において銘板を取り付けることのできるエアバッグカバーに対しても、本願発明を好適に適用することができるものである。このため、本発明は、以下に説明する実施例に限定されるものではなく、多様な変更が可能である。
【実施例１】
【００２７】
図１はエアバッグカバー１０の正面図である。正面部１１の裏面側には、テアライン１２が溝状に形成されている。平面視において略Ｈ字状をなすテアライン１２は、左右のテアライン１２ａ、１２ｂ、センターテアライン１２ｃ及び弧状端末ライン１２ｄにより形成されている。テアライン１２によって、上側ドア１４ａ及び下側ドア１４ｂからなるエアバッグドア１４が定義されている。
【００２８】
センターテアライン１２ｃは下側ドア１４ｂに向かって湾曲している。正面部１１のほぼ中央には円形で中心に向かって傾斜する傾斜部１５が形成されている（図１のＩＩ−ＩＩ部断面である図２参照）。また前記中央には、エンブレムが記載された銘板１が取り付けられている。傾斜部１５の内側には銘板１の意匠部２を下支えする膨出部１７が一体に形成され、銘板１を配置する配置部として構成されている。膨出部１７の表面に形成した複数の突起１８が銘板１の裏面に当接する。膨出部１７と類似した構成については、実施例２において説明する図７に示している。
【００２９】
膨出部１７は、傾斜部１５の中心から放射状に形成したリブにより構成されているが、同心円状のリブとして構成してもよい。また、剣山状のボス群で構成することもできる。尚、エアバッグカバー１０は、例えば−３０℃の低温から例えば＋９０℃の高温までの温度領域において、安定的に形状保持性と所定の開裂性を兼ね備えた樹脂材料から成型されている。樹脂材料として、例えばオレフィン系エラストマー樹脂を用いて、射出成形によりエアバッグカバー１０を製造することができる。
【００３０】
図３には、銘板１の裏面側から見た単体斜視図を示している。銘板１は、例えば０．４ｍｍ乃至０．８ｍｍ程度の厚みを有したアルミ板、鋼鈑などの薄板をプレス成形したものである。銘板１は文字を印刷等した円形の意匠部２と、意匠部２の外縁に一体に連結された周壁３及び周壁３から等間隔に延設された６本の脚部５を有している。
【００３１】
意匠部２は、印刷により隠蔽した部分と金属の地の色をクリアーカラー等で隠蔽した部分とにより構成することができ、塗り分け塗装やメッキによらずに外観がよくて明瞭で本物の金属の質感を持たせることができる。
【００３２】
脚部５は円弧状の先端部６と側部７とから構成されている。また、脚部５は引っ張り力を付与する第１脚部２０と脚部の一部を折り曲げ方向とは逆方向に付勢する第２脚部２３とが交互に配列されている。
【００３３】
図４は、エアバッグカバー１０の裏面側の一部を模式的に切り出した斜視図を示している。第１脚部２０の側部７には長い切欠き２１が形成され、第２脚部２３の側部７にはノッチ２４が形成されている。
【００３４】
エアバッグカバー１０のエアバッグ収容側である裏面側には、馬蹄形状の保護部９が一体的に形成されている。保護部９の保護壁２５は、裏面側に折り曲げられた第１脚部２０及び第２脚部２３の先端部６及び側部７により構成される端縁と相補的な形状をなしている。保護壁２５によって、裏面側に折り曲げられた第１脚部２０及び第２脚部２３の先端部６及び側部７がエアバッグに対して悪影響を与えるのを防止している。また、一対のリブ３０を保護壁２５の内面に形成した保護部９と、一対の係止突起３１を保護壁２５の内面に形成した保護部９とが１つおきに配設されている。
【００３５】
各保護部９に対応したエアバッグカバー１０の部位には、表面側から裏面側に貫通した通孔８が形成されており、通孔８を介して第１脚部２０及び第２脚部２３をそれぞれエアバッグカバー１０の表面側から裏面側に挿通させることができる。
【００３６】
銘板１をエアバッグカバー１０に組み付ける工程を、図５を参照して説明する。図５は第１脚部２０及び第２脚部２３がそれぞれ通孔８に挿通され、全ての脚部の先端部６が通孔８を介して裏面側に引き出された状態を示している。
【００３７】
図５中の矢印のように、裏面側に引き出された第１脚部２０及び第２脚部２３を保護壁２５の内側に倒し込むように折り曲げることで、銘板１をエアバッグカバー１０に固定する作業が終了する。このとき、第１脚部２０の側部７における長い切欠き２１を、図４に示す係止突起３１の傾斜面３２に当接させながら折り曲げられる。このとき、図６の矢印Ｂのように第１脚部２０は先端部６側に引っ張られながら折り曲げられることになる。
【００３８】
即ち、切欠き２１の所で第１脚部２０は折り曲がるようになるため、ダルな曲がり方（シャープでない鈍い曲がり方）となる。このため、係止突起３１の位置では弧状となったダルな曲がり方で内方へ折り曲がることになる。また、長い切欠き２１が上記のように係止突起３１の傾斜面３２上を滑りながら引き込まれるので、第１脚部２０は引っ張り力が付与された状態で折り曲げ加工されることになる。
【００３９】
一方、第２脚部２３の両側における側部７には、一対のノッチ２４が設けられており、第２脚部２３の折り曲げ時における折れ線２９がノッチ２４、６１間にシャープな折れ線として形成できる。こうして、第２脚部２３が折り曲げられると、第２脚部２３の先端部６は保護壁２５の奥壁３３に当たり、図６の矢印Ｃのように折れ線方向に押し戻されることになる。このとき、折れ線２９がシャープな形状になっており、第２脚部２３のエアバッグカバー１０の裏面側に沿う部分はフラットになっている。
【００４０】
このため、折れ線２９は第２脚部２３の先端部６と保護壁２５の奥壁３３との当接による付勢力によって、通孔８の裏面側の開口縁のうちで第２脚部２３の先端部６側とは反対の開口縁側に移動することになる。この折れ線２９が通孔８に当接することによって、折れ線と通孔８との間に楔作用が発生する。この楔作用によって、第２脚部２３は弛みなく通孔８内に固定されることになる。折れ線２９が通孔８に当接しなくても、折れ線２９が押圧されて移動することにより、通孔８内の第２脚部２３は折れ線２９の移動方向に撓み、銘板１に対してエアバッグカバー１０の裏面方向への引っ張り力を発生する。
【００４１】
尚、図６では、第２脚部２３の先端部６と奥壁３３との関係を見やすくするため、先端部６と奥壁３３との間に隙間があるように記載しているが、実際には隙間なく先端部６と奥壁３３と当接している。
【００４２】
このようにして６本の脚部を１つおきに第１脚部２０と第２脚部２３とを配設しているので、第１脚部２０による引っ張り力と第２脚部２３による楔作用や引っ張り力とを得ることができ、銘板１をガタ付くことなくエアバッグカバー１０に密着固定することができる。銘板１に対して外面から押圧等が掛かったとしても、例えば、ホーン操作のために手でエアバッグカバー１０を押圧しても、銘板１を安定してエアバッグカバー１０に固定しておくことができる。
【００４３】
また、エアバッグカバー１０を成型する樹脂材料が、雰囲気温度の温度変化によって膨張収縮を生じても、銘板１は弛むことがなく安定してエアバッグカバー１０に固定しておくことができる。この安定して銘板１をエアバッグカバー１０に固定しておくことは極めて重要なことである。
【００４４】
即ち、銘板１は通常最も目に付く場所を選んで取り付けられているので、銘板１とエアバッグカバー１０との間に若干の浮きやズレ、がたつきなどが生じると、非常に目障りで見苦しい状態となる。このため、銘板１とエアバッグカバー１０との間に浮きやズレなどが発生するのを確実に防止することが重要な事項となる。本願発明では、上述したように浮きやズレ、がたつきなどがない状態で常に銘板１をエアバッグカバー１０に固定しておくことができ、そのためには、本が発明特有の保持特性を持たせていることが重要なこととなっている。
【００４５】
しかも、保護壁２５を折り曲げた脚部５の先端部６及び側部７に周設させているので、エアバッグ収容部に収容された図示しないエアバッグに対して、脚部５のバリ等が悪影響を与えることが防止される。
【実施例２】
【００４６】
次に図７及び図８を参照して、本発明に係わる他の好ましい実施例について説明する。実施例１と共通する部材及び類似の部材については、実施例１で用いた符号を用いることで、その部材についての説明を省略する。
【００４７】
実施例２では、折り曲げた脚部５を更にその幅方向に湾曲させることで、折り曲げ状態を保持することを特徴としている。即ち、図８に示すように、脚部５の幅方向における中央部２６をエアバッグカバー１０の裏面側に向かって膨出するように変形させ、側部７は保護壁２５に対して鋭角に当接させる。
【００４８】
これは、脚部５の中央部２６に対して押圧力を集中的に加えながら折り曲げを行わせることで行うことができる。このとき、保護壁２５のリブ３０に接触する側部７は、リブ３０との接触による抵抗を受けながらエアバッグカバー１０の裏面側に移動する。これによって、脚部５の中央部２６が反り返るようになり、結果として脚部５の中央部２６が下方に湾曲した形状となる。
【００４９】
中央部２６の湾曲による復元力によって側部７が保護部９の保護壁２５内面を圧縮するように押圧することが好ましい。このとき、脚部５の側部７がリブ３０に嵌入し、先端部６がリブ３４に嵌入する。これによって、脚部５によるアンカー効果が増大し、図８に示すように、中央部２６と側部７、７の３点がＶ字状の配置関係となって保護壁２５内に保持されることになる。このとき、リブ３０、３４が、脚部５に対するロック片となっている。
【００５０】
また、脚部５の中央部２６が湾曲することで、脚部５における長手方向の曲げ剛性が高まり、銘板１をエアバッグカバー１０に強固に固定することができるようになる。尚、銘板１の意匠部２を下支えする膨出部１７は、同心円状のリブとしてエアバッグカバー１０とともに一体に形成され、意匠部２の裏面に複数の突起１８によって当接している。尚、図８に示したようなに脚部５を線状に湾曲させることも、中央部を点状に押圧してすり鉢形状に湾曲させる構成とすることもできる。
【００５１】
脚部の中央部２６を湾曲させる湾曲方向は、図８に示すような中央部２６が下方を向いた湾曲形状以外に、図１０に示すように中央部２６が上方を向いた湾曲形状とすることもできる。このときは、保護壁２５で囲まれたエアバッグカバー１０の裏面に湾曲突起２７を形成するとともに、保護壁２５の内面に下端側に切り欠き２８を備えた係止片３５を形成しておく。
【００５２】
図１０の２点鎖線の状態から実線の状態に、脚部の中央部２６を湾曲させる湾曲方法としては次のようにして行うことができる。即ち、通孔８に挿通されてエアバッグカバー１０の裏面側に引き出された脚部５が、保護部９内に折り曲げられると、脚部５は図１０の２点鎖線で示す状態となる。この状態から湾曲突起２７と側部７との間を下方に向けて押圧すると、側部７は係止片３５上を滑りながら図１０の実線状態に変形する。
【００５３】
湾曲突起２７によって中央部２６が押圧された状態となり、側部７は係止片３５の切り欠き２８に係止された状態となる。これによって、脚部５は、保護壁２５内に保持されることになる。また、中央部２６が側部７より高く構成されているので、保護壁２５の高さとしては側部７や先端部６を保持できる高さがあれば十分な高さとなる。このため、保護壁２５の高さとしては側部７、先端部６よりも高ければ中央部２６よりも低く構成することもできる。
【００５４】
先端部６と保護壁２５との係合関係は、図１１、１２に示すような保護壁２５の先端部６に当接する奥壁３３に切り欠き３６を形成し、同切り欠き３６に先端部６を係合させる係合関係とすることができる。また、図９に示す先端部６と係合する奥壁３３に形成した係止片３５の切り欠きに先端部６を係合させておくこともできる。このとき、係止片３５、切り欠き３６が、脚部５に対するロック片となっている。
【００５５】
中央部２６を下方又は上方に向けて湾曲させる脚部５としては、第１脚部２０及び第２脚部２３のうち少なくとも一方の脚部に対して湾曲させることができる。
【００５６】
以上は溶着等を用いずに曲げ加工によって、銘板１をエアバッグカバーに取り付ける態様を説明した。しかし、本願発明においては。上述した曲げ加工に対して更に簡略化された熱加工を施すことを必ずしも排除するものではない。例えば、保護壁２５を一部または全部に対して変形可能な程度の熱を加えて、保護壁２５を内方に傾斜変形させることもできる。また、保護壁２５を部分的に潰し変形させるように熱を加えることもできる。
【００５７】
上述した各実施例では、保護壁２５は略Ｕ字状の連続した壁としたものを用いて説明を行ったが、保護壁２５の形状は必ずしも上述した形状に限定されるものではなく、部分的に不連続な形状であってもよい。また、保護壁２５は説明のため脚部５に対して極めて大きな高さ寸法を持つように図示しているが、図示した高さが本願発明の保護壁２５として必要な高さであると解するべきではなく、折り曲げた状態における脚部５の側部７や先端部６の高さ位置と同じ高さか、あるいはそれよりも大きな高さ寸法があればよい。
【００５８】
上述した各実施例では、銘板１は円形で脚数としては第１脚部２０と第２脚部２３とを同数（各３脚）として交互に配列した例を示しているが、脚部５の脚数を３脚として、第１脚部２０の脚数を１又は２脚とし、第２脚部２３を２又は１脚として構成してもよい。更には、第１脚部２０及び第２脚部２３の脚数の合計を４、５、６、７、８脚など銘板１の形状や寸法に合わせて適宜数設定することができる。
【００５９】
銘板１の形状としては、円形形状に限定されるものではなく、多角形状、楕円形状、星型形状、リング型（中抜き）形状など適宜の形状を選択することができる。このとき、脚部５としては第１脚部２０のみにより構成しても、第２脚部２３のみにより構成してもよい。また、第１脚部２０と第２脚部２３のいずれが脚部を主体の脚部として配設し、他方の脚部を副次的な脚部として少数脚配設することもできる。
【００６０】
上述した第１脚部２０でも第２脚部２３でもない脚部（単なる曲げ脚部）を含んだ構成とすることもできる。この場合には、銘板１をエアバッグカバー１０に保持する保持特性を考慮すれば、第１脚部２０及び／又は第２脚部２３を主体として配設することが、保持特性を高める上からも効果的な構成となる。脚部５としては、銘板１の外周から延設した構成のほか、外周よりも内方に位置させた別部材として形成し、溶接等により銘板１の裏面側に取り付けることもできる。
【産業上の利用可能性】
【００６１】
カバー内に収納する部材に対して悪影響を与えず、同カバーに銘板等を取り付け固定するものに、本願発明の技術思想を適用することができる。
【図面の簡単な説明】
【００６２】
【図１】本発明の実施形態に係わるエアバッグカバーの正面図である。（実施例１）
【図２】図１のＩＩ−ＩＩ断面図の要部である。（実施例１）
【図３】裏面側から見た銘板の斜視図である。（実施例１）
【図４】エアバッグカバーの裏面側の一部を模式的に切り出した斜視図である。（実施例１）
【図５】脚部が通孔に挿通された状態を模式的に示す斜視図である。（実施例１）
【図６】脚部が折り曲げられた態を模式的に示す裏面図である。（実施例１）
【図７】保護部の一部破断斜視図である。（実施例２）
【図８】図７のＶＩＩＩ−ＶＩＩＩ断面図である。（実施例２）
【図９】保護部の一部破断斜視図である。（実施例２）
【図１０】図９のＸ−Ｘ断面図である。（実施例２）
【図１１】保護部の一部破断斜視図である。（実施例２）
【図１２】図１１のＸＩＩ−ＸＩＩ断面図である。（実施例２）
【図１３】銘板取付構造を示す要部断面図である。（従来例）
【符号の説明】
【００６３】
１          銘板
３          周壁
５          脚部
６          先端部
７          側部
８          通孔
９          保護部
１０          エアバッグカバー
１２          テアライン
１４          エアバッグドア
１７          膨出部
２０          第１脚部
２１          長い切り欠き
２３          第２脚部
２４          ノッチ
２６          中央部
２７          湾曲突起
３０          リブ
３１          係止突起
３２          傾斜面
３３          奥壁
３４          リブ
３５          係止片
５３          エンブレム
５３ａ        キャップ
５３ｂ        取付脚部
５４          バッグカバー
５５ｃ        挿入穴
５７          樹脂製当板
【図１】
2006103444.tif 000003
【図２】
2006103444.tif 000004
【図３】
2006103444.tif 000005
【図４】
2006103444.tif 000006
【図５】
2006103444.tif 000007
【図６】
2006103444.tif 000008
【図７】
2006103444.tif 000009
【図８】
2006103444.tif 000010
【図９】
2006103444.tif 000011
【図１０】
2006103444.tif 000012
【図１１】
2006103444.tif 000013
【図１２】
2006103444.tif 000014
【図１３】
2006103444.tif 000015